(57)【要約】  【課題】記録媒体に対する搬送負荷を低減させることができる給紙装置及び画像形成装置を提供することにある。  【解決手段】記録媒体を送り出すように搬送する第１の搬送部材と、前記第１の搬送部材の記録媒体搬送方向下流側に設けられた第２の搬送部材と、前記第１の搬送部材により送り出される記録媒体の側部が当ることにより記録媒体を搬送方向に案内する案内部と、記録媒体に接触して記録媒体を前記案内部に押付ける押付部材と、前記第１の搬送部材により記録媒体の搬送が開始された後、記録媒体が前記第２の搬送部材により搬送される前に、前記押付部材の記録媒体への接触を解除させる接触解除機構とを有する。【選択図】図２
2011063341.tif 000002
【特許請求の範囲】
【請求項１】
記録媒体を送り出すように搬送する第１の搬送部材と、
前記第１の搬送部材の記録媒体搬送方向下流側に設けられた第２の搬送部材と、
前記第１の搬送部材により送り出される記録媒体の側部が当ることにより記録媒体を搬送方向に案内する案内部と、
記録媒体に接触して記録媒体を前記案内部に押付ける押付部材と、
前記第１の搬送部材により記録媒体の搬送が開始された後、記録媒体が前記第２の搬送部材により搬送される前に、前記押付部材の記録媒体への接触を解除させる接触解除機構と、を有する給紙装置。
【請求項２】
前記押付部材は、記録媒体の搬送方向に対して斜めに配置される斜行部材を有する請求項１記載の給紙装置。
【請求項３】
前記斜行部材は、前記第１の搬送部材と共に駆動される請求項２記載の給紙装置。
【請求項４】
前記斜行部材は、複数のギア列からなる第１の伝達部材を有し、前記斜行部材は、前記第１の伝達部材と、該第１の伝達部材に接続され、前記第１の搬送部材の回転軸に設けられた第２の伝達部材と、を介して前記第１の搬送部材と共に駆動される請求項３記載の給紙装置。
【請求項５】
前記接触解除機構は、前記第１の搬送部材の回転と共に回転される接触解除部材を有し、前記接触解除部材は回転して、前記押付部材に設けられた接触解除伝達部材と接触し、前記押付部材の記録媒体への接触を解除させる請求項１乃至４いずれか記載の給紙装置。
【請求項６】
記録媒体を給紙する給紙装置と、前記給紙装置によって供給された記録媒体に画像を形成する画像形成部と、を有し、
前記給紙装置は、記録媒体を送り出すように搬送する第１の搬送部材と、
前記第１の搬送部材の記録媒体搬送方向下流側に設けられた第２の搬送部材と、
前記第１の搬送部材により送り出される記録媒体の側部が当ることにより記録媒体を搬送方向に案内する案内部と、
記録媒体に接触して記録媒体を前記案内部に押付ける押付部材と、
前記第１の搬送部材により記録媒体の搬送が開始された後、記録媒体が前記第２の搬送部材により搬送される前に、前記押付部材の記録媒体への接触を解除させる接触解除機構と、を有する画像形成装置。
【発明の詳細な説明】
【技術分野】
【０００１】
本発明は、給紙装置及び画像形成装置に関する。
【背景技術】
【０００２】
特許文献１は、記録媒体を積層した状態で支持することが可能な記録媒体収容部と、前記記録媒体収容部に支持された記録媒体のうち積層方向端にある記録媒体に接触することによって、接触した記録媒体を搬送するためのピックアップローラと、記録媒体の搬送方向に延在し且つ前記ピックアップローラによって搬送されている記録媒体の側面と接触するガイド面を有するガイド部材とを備えている。そして、前記ピックアップローラの回転軸が前記ガイド面と交差する位置と前記ピックアップローラの中心とを結ぶ線分と、前記交差する位置と前記ピックアップローラの中心とを結ぶ線分と、前記交差する位置から搬送方向前方に延びる線分とが鋭角をなすように、前記ピックアップローラが傾いている構成を開示する。
【先行技術文献】
【特許文献】
【０００３】
【特許文献１】特開２００５−０２２７６３号公報
【発明の概要】
【発明が解決しようとする課題】
【０００４】
本発明の目的は、記録媒体に対する搬送負荷を低減させることができる給紙装置及び画像形成装置を提供することにある。
【課題を解決するための手段】
【０００５】
上記目的を達成するために、請求項１に係る本発明は、記録媒体を送り出すように搬送する第１の搬送部材と、前記第１の搬送部材の記録媒体搬送方向下流側に設けられた第２の搬送部材と、前記第１の搬送部材により送り出される記録媒体の側部が当ることにより記録媒体を搬送方向に案内する案内部と、記録媒体に接触して記録媒体を前記案内部に押付ける押付部材と、前記第１の搬送部材により記録媒体の搬送が開始された後、記録媒体が前記第２の搬送部材により搬送される前に、前記押付部材の記録媒体への接触を解除させる接触解除機構と、を有する給紙装置である。
【０００６】
請求項２に係る本発明は、前記押付部材は、記録媒体の搬送方向に対して斜めに配置される斜行部材を有する請求項１記載の給紙装置である。
【０００７】
請求項３に係る本発明は、前記斜行部材は、前記第１の搬送部材と共に駆動される請求項２記載の給紙装置である。
【０００８】
請求項４に係る本発明は、前記斜行部材は、複数のギア列からなる第１の伝達部材を有し、前記斜行部材は、前記第１の伝達部材と、該第１の伝達部材に接続され、前記第１の搬送部材の回転軸に設けられた第２の伝達部材と、を介して前記第１の搬送部材と共に駆動される請求項３記載の給紙装置である。
【０００９】
請求項５に係る本発明は、前記接触解除機構は、前記第１の搬送部材の回転と共に回転される接触解除部材を有し、前記接触解除部材は回転して、前記押付部材に設けられた接触解除伝達部材と接触し、前記押付部材の記録媒体への接触を解除させる請求項１乃至４いずれか記載の給紙装置である。
【００１０】
請求項６に係る本発明は、記録媒体を給紙する給紙装置と、前記給紙装置によって供給された記録媒体に画像を形成する画像形成部と、を有し、前記給紙装置は、記録媒体を送り出すように搬送する第１の搬送部材と、前記第１の搬送部材の記録媒体搬送方向下流側に設けられた第２の搬送部材と、前記第１の搬送部材により送り出される記録媒体の側部が当ることにより記録媒体を搬送方向に案内する案内部と、記録媒体に接触して記録媒体を前記案内部に押付ける押付部材と、前記第１の搬送部材により記録媒体の搬送が開始された後、記録媒体が前記第２の搬送部材により搬送される前に、前記押付部材の記録媒体への接触を解除させる接触解除機構と、を有する画像形成装置である。
【発明の効果】
【００１１】
請求項１に係る本発明によれば、記録媒体が第２の搬送部材により搬送される前に押付部材の記録媒体への接触を解除させない構成と比較して、記録媒体に対する搬送負荷を低減させることができる給紙装置を提供することができる。
【００１２】
請求項２に係る本発明によれば、請求項１に係る本発明の効果に加えて、本構成を有していない場合に比較して、簡易な構成で記録媒体を予め定めた方向に確実に搬送することができる。
【００１３】
請求項３に係る本発明によれば、請求項２に係る本発明の効果に加えて、本構成を有していない場合に比較して、駆動源を少なくすることができる。
【００１４】
請求項４に係る本発明によれば、請求項３に係る本発明の効果に加えて、本構成を有していない場合に比較して、簡易な構成で駆動源を少なくすることができる。
【００１５】
請求項５に係る本発明によれば、請求項１乃至４いずれかに係る本発明の効果に加えて、本構成を有していない場合に比較して、簡易な構成で記録媒体を速やかに搬送することができる。
【００１６】
請求項６に係る本発明によれば、記録媒体が第２の搬送部材により搬送される前に押付部材の記録媒体への接触を解除させない構成と比較して、記録媒体に対する搬送負荷を低減させることができる画像形成装置を提供することができる。
【図面の簡単な説明】
【００１７】
【図１】本発明の一実施形態の画像形成装置１０を示す側面図である。
【図２】本発明に係る実施形態に用いた給紙装置１８を上方からみた図である。
【図３】本発明に係る実施形態に用いた接触解除機構７０を説明するための図であり、（ａ）は記録媒体搬送開始時を示し、（ｂ）は記録媒体搬送開始後、フィードロール２８により搬送される前を示す。
【図４】本発明に係る実施形態に用いた給紙装置１８を上方からみた図であり、（ａ）は記録媒体搬送開始時を示し、（ｂ）は記録媒体搬送開始後、フィードロール２８により搬送される前を示す。
【発明を実施するための形態】
【００１８】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の記録媒体供給装置の一例である給紙装置１８、１８が配置されている。
【００１９】
それぞれの給紙装置１８は、記録媒体Ｓが積層されて収納される給紙カセット２２を有する。給紙カセット２２の奥端近傍上部には第１の搬送部材である送り出しロール２４が配置され、この送り出しロール２４の記録媒体搬送方向下流側にリタードロール２６及び第２の搬送部材であるフィードロール２８が配置されている。これら送り出しロール２４、リタードロール２６及びフィードロール２８は、画像形成装置本体１２に設けられていてもよし、給紙カセット２２に設けられていてもよい。
【００２０】
主搬送路３２は、フィードロール２８から排出口３４までの記録媒体通路であり、この主搬送路３２は、画像形成装置本体１２の裏側（図１の右側面）近傍にあって、最下端の給紙装置１８から後述する定着装置３６まで略鉛直に形成されている部分を有する。この主搬送路３２の定着装置３６の記録媒体搬送方向上流側に後述する転写装置４２と像保持体４４が配置され、さらに転写装置４２と像保持体４４の記録媒体搬送方向上流側にレジストロール３８が配置されている。さらに、主搬送路３２の排出口３４の近傍には排出ロール４０が配置されている。
【００２１】
したがって、給紙装置１８の給紙カセット２２から送り出しロール２４により送り出された記録媒体Ｓは、リタードロール２６及びフィードロール２８の協働により搬送されて最上部の記録媒体のみ主搬送路３２に導かれ、レジストロール３８により一時停止され、タイミングをとって後述する転写装置４２と像保持体４４との間を通って現像剤像が転写され、この転写された現像剤像が定着装置３６により定着され、排出ロール４０により排出口３４から排出部１６へ排出される。
【００２２】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に記録媒体の後端手前がかかる時点で排出ロール４０が反転し、記録媒体が反転路４８に導かれ、レジストロール３８、転写装置４２と像担持体４４及び定着装置３６を通って排出口３４から排出部１６へ排出されるものである。
【００２３】
像形成手段１４は、例えば電子写真方式のもので、感光体からなる像保持体４４と、この像保持体４４を帯電する例えば帯電ロールからなる帯電装置５６と、帯電装置５６により帯電された像保持体４４に、光により潜像を書き込む光書込み装置５８と、この光書込み装置５８により形成された像保持体４４の潜像を現像剤により可視化する現像装置６０と、この現像装置６０による現像剤像を記録媒体Ｓに転写する例えば転写ロールからなる転写装置４２と、像保持体４４に残存する現像剤をクリーニングする例えばブレードからなるクリーニング装置６２と、転写装置４２により転写された記録媒体Ｓ上の現像剤像を記録媒体Ｓに定着させる定着装置３６とから構成されている。
【００２４】
プロセスカートリッジ６４は、像保持体４４、帯電装置５６、現像装置６０及びクリーニング装置６２を一体化したものである。
【００２５】
制御部３０は、画像形成装置本体１２に配設され、画像形成装置１０を構成する各部を制御する。
【００２６】
次に、給紙装置１８について詳述する。
図２は、給紙装置１８を上方からみた構成図である。
図２に示すように、給紙装置１８は、積層された状態で記録媒体Ｓを収納する収納部である給紙カセット２２を有する。
この給紙カセット２２内の側端には記録媒体の搬送方向と直交する方向における記録媒体の位置ずれを防止する案内部であるサイドガイド２２ａが形成されている。また、サイドガイド２２ａの近傍、給紙カセット２２の中ほどには、記録媒体に接触して記録媒体をサイドガイド２２ａに押付ける押付部材であり、例えば記録媒体搬送方向に対して斜めに配置された斜行部材である斜行ロール２５が設けられている。斜行ロール２５の記録媒体搬送方向下流側には送り出しロール２４が設けられ、この送り出しロール２４のさらに記録媒体搬送方向下流側には、フィードロール２８がリタードロール２６に対向して設けられている。斜行ロール２５は、サイドガイド２２ａから送り出しロール２４側に向けて、すなわち、記録媒体の搬送方向に対して斜めに配置されており、給紙カセット２２内の最上位に位置し、送り出しロール２４により送り出される記録媒体Ｓの側部をサイドガイド２２ａに当てて記録媒体搬送方向に搬送する。
【００２７】
斜行ロール２５は、ロール本体２５ａと、このロール本体２５ａと同軸に設けられた軸２５ｂと、軸２５ｂの先端に設けられた第１の伝達部材であるギア列７６から構成される。ギア列を構成するギア７６ａ、７６ｂ及び７６ｃの各ギア面は傾斜しており、複数のギアが連結されることで斜行ロール２５は記録媒体搬送方向から傾いて配置される。また、斜行ロール２５へ動力を伝達するギア列７６の一部であるギア７６ｃの先端には、記録媒体搬送方向に延びた接触解除伝達部材であるリンク７８が接続されている。また、ギア７６ｃと送り出しロール２４を回転させる軸７２には、第２の伝達部材であるベルト８０がかけられ、斜行ロール２５は、送り出しロール２４が駆動することによりベルト８０及びギア列７６を介して駆動される。
【００２８】
次に、斜行ロール２５の記録媒体への接触を解除させる接触解除機構７０について詳述する。
図３は、接触解除機構７０を説明するための図であり、（ａ）は記録媒体搬送開始時を示し、（ｂ）は記録媒体搬送開始後、フィードロール２８により搬送される前を示す。
送り出しロール２４を回転させる軸７２のサイドガイド２２ａ側には接触解除部材であるカム７４が設けられている。
図３に示すように、リンク７８は、カム７４が回転されるとリンク７８と接触する位置に配置されている。
すなわち、カム７４が回転し、カム７４がリンク７８と接触することで、てこの原理により斜行ロール２５は浮き、記録媒体Ｓから離間され、接触は解除される。
【００２９】
次に、記録媒体を給紙するときの給紙装置１８の動作の一例について説明する。
図４は、給紙装置１８を上方からみた図であり、最上位に位置する記録媒体Ｓを給紙する様子を示し、（ａ）は記録媒体搬送開始時を示し、（ｂ）は記録媒体搬送開始後、フィードロール２８により搬送される前を示す。
図３（ａ）及び図４（ａ）に示すように、記録媒体搬送開始時には、斜行ロール２５は記録媒体Ｓに接触している。そして、送り出しロール２４の回転により記録媒体の搬送が開始され、斜行ロール２５が回転されると、斜行ロール２５が記録媒体搬送方向に対して傾いて設けられているため、記録媒体Ｓは、サイドガイド２２ａへ寄せて搬送される。ここで、記録媒体搬送中は、斜行ロール２５が傾いているため、斜行ロール２５が記録媒体に接触していることにより搬送負荷となる。
そして、図３（ｂ）及び図４（ｂ）に示すように、記録媒体がフィードロール２８により搬送される前に、送り出しロール２４の軸７２と回転同期したカム７４がリンク７８と接触し、てこの原理で斜行ロール２５を持ち上げ、斜行ロール２５の記録媒体への接触は解除され、搬送負荷がなくなる。
そして、記録媒体がフィードロール２８に搬送されると、送り出しロール２４の回転は停止され、フィードロール２８から速やかに次のロールへ記録媒体が搬送される。
【００３０】
なお、本実施の形態に係る給紙装置１８を積層された状態で記録媒体Ｓを収納する給紙カセット２２に設けた例について説明したが、これに限らず、手差しトレイ等に設けた場合にも適用できる。また、本実施の形態に係る給紙装置１８において斜行ロール２５を用いて説明したが、これに限らず、記録媒体に対して搬送負荷を与えるものに適用できる。
【符号の説明】
【００３１】
１０    画像形成装置
１２    装置本体
１８    給紙装置
２２    給紙カセット
２２ａ  サイドガイド
２４    送り出しロール
２５    斜行ロール
２６    リタードロール
２８    フィードロール
７０    接触解除機構
７２    軸
７４    カム
７６    ギア列
７８    リンク
８０    ベルト
【図１】
2011063341.tif 000003
【図２】
2011063341.tif 000004
【図３】
2011063341.tif 000005
【図４】
2011063341.tif 000006